(57)【要約】【課題】  低コストで汎用性高く確実に複製可否を判定できる複製可否判定装置、及び、その複製可否判定装置による判定結果に応じて適切な複製防止動作を行うことができる画像読取装置、スキャナ装置、ファクシミリ装置、複写装置、及び、複合機を提供すること。【解決手段】  読取対象物に付加された無線タグから送信される所定の無線タグ情報を受信する無線タグ情報読出手段と、その無線タグ情報読出手段により受信された前記無線タグ情報に基づいて前記読取対象物の複製の可否を判定する複製可否判定手段とを備えたことを特徴とする。【選択図】    図２
2005094275.tif 000002
【特許請求の範囲】
【請求項１】
読取対象物に付加された無線タグから送信される所定の無線タグ情報を受信する無線タグ情報読出手段と、
その無線タグ情報読出手段により受信された前記無線タグ情報に基づいて前記読取対象物の複製の可否を判定する複製可否判定手段とを備えたことを特徴とする複製可否判定装置。
【請求項２】
前記複製可否判定手段は、前記無線タグ情報読出手段により前記無線タグ情報が受信された場合において、当該無線タグ情報中の所定の複製可否設定情報が、「複製禁止」に設定されていれば「複製禁止」と判定し、それ以外の設定の場合は「複製可」と判定するものであることを特徴とする請求項１に記載の複製可否判定装置。
【請求項３】
前記複製可否判定手段は、前記無線タグ情報読出手段により前記無線タグ情報が受信された場合において、当該無線タグ情報中の所定の無線タグ被付加物種別設定情報により特定される種別が、自装置において予め「複製禁止」に設定されている種別であれば「複製禁止」と判定し、それ以外の種別については「複製可」と判定するものであることを特徴とする請求項１に記載の複製可否判定装置。
【請求項４】
前記複製可否判定手段は、前記無線タグ情報読出手段により前記無線タグ情報が受信された場合において、当該無線タグ情報中の所定の複製禁止ランク情報により特定されるランクが、自装置において予め設定されているランクよりも上位であれば「複製禁止」と判定し同位または下位であれば「複製可」と判定するものであることを特徴とする請求項１に記載の複製可否判定装置。
【請求項５】
前記複製可否判定手段は、前記無線タグ情報読出手段により前記無線タグ情報が受信された場合において、当該無線タグ情報中に所定の通し番号情報がある場合には「複製禁止」と判定し、ない場合には「複製可」と判定するものであることを特徴とする請求項１に記載の複製可否判定装置。
【請求項６】
前記複製可否判定手段は、前記無線タグ情報読出手段により前記無線タグ情報が受信されない場合には「複製可」と判定するものであることを特徴とする請求項１ないし５のいずれかに記載の複製可否判定装置。
【請求項７】
前記無線タグ情報読出手段が送出する電波の送出レベルを、自装置において前記読取対象物がセットされる位置と、前記無線タグ情報読出手段の設置位置との距離以内にほぼ在る無線タグのみが反応する程度のレベルに抑えて設定したことを特徴とする請求項１ないし６のいずれかに記載の複製可否判定装置。
【請求項８】
前記無線タグ情報読出手段の電波受信感度を、自装置において前記読取対象物がセットされる位置と、前記無線タグ情報読出手段の設置位置との距離以内にほぼ在る無線タグのみからの電波を受信できる程度の感度に抑えて設定したことを特徴とする請求項１ないし７のいずれかに記載の複製可否判定装置。
【請求項９】
前記無線タグ情報読出手段の電波の受信または／及び送信について、自装置における前記無線タグ情報読出手段の電波受信部または／及び送信部の設置位置から前記読取対象物がセットされる位置の方向に指向性を持たせたことを特徴とする請求項１ないし８のいずれかに記載の複製可否判定装置。
【請求項１０】
請求項１ないし９のいずれかに記載の複製可否判定装置を備え、
前記読取対象物を読み取って画像データを得る画像読取手段と、
画像データを所定の形態で出力する画像データ出力手段と、
前記複製可否判定手段により「複製可」と判定された場合には前記読取対象物を前記画像読取手段により読み取り画像データを得ると共に、その得られた画像データを前記画像データ出力手段により出力する一方、前記複製可否判定手段により「複製禁止」と判定された場合には所定の複製防止処理を行う画像読取制御手段とを更に備えたことを特徴とする画像読取装置。
【請求項１１】
前記画像読取制御手段が行う前記所定の複製防止処理は、所定の読取開始指示操作入力があっても前記画像読取手段による前記読取対象物の読み取りを開始しない処理を含むことを特徴とする請求項１０に記載の画像読取装置。
【請求項１２】
前記画像読取制御手段が行う前記所定の複製防止処理は、前記画像読取手段による前記読取対象物の読み取りを中断・停止して前記画像データ出力手段による出力を行わない処理を含むことを特徴とする請求項１０に記載の画像読取装置。
【請求項１３】
前記画像読取制御手段が行う前記所定の複製防止処理は、前記画像読取手段により前記読取対象物を読み取りメモリに蓄積した画像データの前記画像データ出力手段による出力を行わない処理を含むことを特徴とする請求項１０に記載の画像読取装置。
【請求項１４】
前記画像読取制御手段が行う前記所定の複製防止処理は、前記画像読取手段により前記読取対象物を読み取りメモリに蓄積した画像データに対して、悪用防止のための所定の画像処理を行った上で前記画像データ出力手段による出力を行う処理を含むことを特徴とする請求項１０に記載の画像読取装置。
【請求項１５】
前記複製可否判定手段は、前記無線タグ情報読出手段により受信された前記無線タグ情報に基づいて前記読取対象物の複製の可否を判定することに加え、前記読取対象物を読み取りメモリに蓄積された画像データについて所定の画像認識処理を行うことで前記読取対象物の複製の可否を判定するものである一方、
前記画像読取制御手段が行う前記所定の複製防止処理は、前記画像読取手段により前記読取対象物を読み取りメモリに蓄積した画像データの前記画像データ出力手段による出力を行わない処理を含むことを特徴とする請求項１０ないし１４のいずれかに記載の画像読取装置。
【請求項１６】
前記複製可否判定手段は、前記無線タグ情報読出手段により受信された前記無線タグ情報に基づいて前記読取対象物の複製の可否を判定することに加え、前記読取対象物を読み取りメモリに蓄積された画像データについて所定の画像認識処理を行うことで前記読取対象物の複製の可否を判定するものである一方、
前記画像読取制御手段が行う前記所定の複製防止処理は、前記画像読取手段により前記読取対象物を読み取りメモリに蓄積した画像データに対して、悪用防止のための所定の画像処理を行った上で前記画像データ出力手段による出力を行う処理を含むことを特徴とする請求項１０ないし１４のいずれかに記載の画像読取装置。
【請求項１７】
前記画像読取制御手段が行う前記所定の複製防止処理は、前記読取対象物を読み取りメモリに蓄積した画像データであって、当該読取対象物が「複製禁止」と判定されたものである場合に、当該メモリに蓄積された当該画像データを上書き消去する処理を含むことを特徴とする請求項１２ないし１６のいずれかに記載の画像読取装置。
【請求項１８】
前記複製可否判定手段により「複製禁止」と判定された場合に、「複製禁止」の旨をユーザが認識可能な所定の形態で出力する複製禁止通知手段を更に備えたことを特徴とする請求項１０ないし１７のいずれかに記載の画像読取装置。
【請求項１９】
前記画像読取手段は、コンタクトガラス上に載置された前記読取対象物を当該コンタクトガラス下で移動する走行体により副走査して読み取るものである一方、前記無線タグ情報読出手段の少なくとも電波受信部または／及び送信部を前記走行体上に配置したことを特徴とする請求項１０ないし１８のいずれかに記載の画像読取装置。
【請求項２０】
前記無線タグ情報読出手段は、前記走行体が副走査方向にほぼ一定距離移動する毎に無線タグからの無線タグ情報を読み取るものであることを特徴とする請求項１９に記載の画像読取装置。
【請求項２１】
前記複製可否判定手段により「複製禁止」と判定された場合に、予め記憶していた自端末識別情報を前記読取対象物に付加された無線タグに送信して書き込む自端末識別情報書込手段を更に備えたことを特徴とする請求項１０ないし２０のいずれかに記載の画像読取装置。
【請求項２２】
請求項１０ないし２１のいずれかに記載の画像読取装置を備え、
前記画像データ出力手段は、画像データを所定のインターフェースを介して他装置に転送出力するものであることを特徴とするスキャナ装置。
【請求項２３】
請求項１０ないし２１のいずれかに記載の画像読取装置を備え、
前記画像データ出力手段は、画像データを通信網またはネットワークを介して宛先装置に送信出力するものであることを特徴とするファクシミリ装置。
【請求項２４】
請求項１０ないし２１のいずれかに記載の画像読取装置を備え、
前記画像データ出力手段は、画像データを記録媒体上に印刷出力するものであることを特徴とする複写装置。
【請求項２５】
請求項１０ないし２１のいずれかに記載の画像読取装置を備え、
前記画像データ出力手段は、画像データを所定の複数の出力形態のうちのいずれかの形態により出力するものであることを特徴とする複合機。
【発明の詳細な説明】
【技術分野】
【０００１】
本発明は、複製可否判定装置、その複製可否判定装置を備えた画像読取装置、その画像読取装置を備えた、スキャナ装置、ファクシミリ装置、複写装置、及び、複合機に関する。
【背景技術】
【０００２】
画像読取装置が原稿（読取対象物）を読み取って得た画像データは多様な形態で利用される。
【０００３】
具体的には、記録紙などの記録媒体上に印刷出力されたり（複写）、パーソナルコンピュータなどの他装置に転送されて（スキャナ）、その他装置において、カラープリンタにより記録媒体上に印刷出力したり、通信網やネットワークを介して遠隔の宛先装置に送信されて（ファクシミリ）、その宛先装置において記録媒体上に印刷出力されたりして利用される。
【０００４】
ここで、もし、前記画像読取装置において読み取られる原稿（読取対象物）が、紙幣・有価証券等の複製すべきではないものである場合、得られた画像データが悪用される場合もある。
【０００５】
具体的には、紙幣や有価証券を読み取って得た画像データを記録紙に印刷して偽造紙幣や偽造有価証券を作成して使用したり、預金通帳の陰影が押されたページを読み取って得た画像データの印影部分を画像加工のアプリケーションを利用して切り出し、プリンタにより、預金引き出し用の用紙にカラー印刷して陰影を偽造し、預金を不正に引き出したりするような場合である。
【０００６】
そのため、画像読取装置においては、原稿（読取対象物）の複製（偽造）を防止する対策が必要となる。
【０００７】
そのためには、原稿（読取対象物）が紙幣や有価証券などの複製すべきでない種別のものである場合に、原稿を読み取らないか、または読み取って得た画像データを捨てればよい。
【０００８】
しかし、そのためには、原稿（読取対象物）が紙幣や有価証券などの複製すべきでない種別のものであるか否かを判定する必要がある。
【０００９】
その判定方法としては、予め記憶したパターンデータと、読み取った画像データとを比較して判定する、画像比較による判定方法がある。
【００１０】
また、画像比較による判定方法としては、特許文献１に記載の技術のように、紙幣等に印刷された印影の検出に特化して、少ない量のパターンデータで紙幣等であるか否かの判定を行うようにしたものがある。
【００１１】
【特許文献１】特開平０６−０５４１８６号公報
【発明の開示】
【発明が解決しようとする課題】
【００１２】
しかし、上記従来の画像比較による判定方法では、複製禁止にすべき多種多様な原稿（読取対象物）に対応するためには、膨大なパターンデータを必要とするという問題点がある。
【００１３】
また、上記特許文献１に記載の従来技術では、印影が印刷された原稿（読取対象物）については、パターンデータ量が少なくて済む利点はあるものの、印影が印刷されていない種類の原稿（読取対象物）に対しては、従来のデータ量の多いパターンデータによる比較判定によらざるを得ず、パターンデータ記憶のために大容量のメモリが必要となり、また、画像比較の処理負担も大きく、画像処理回路として高性能なものが必要となる装置コストが増大するという問題点がある。
【００１４】
また、上記従来の画像比較による判定方法では、似た画像の誤認識が生じやすいため、画像比較による判定のみでは、複製禁止とすべき原稿（読取対象物）を正しく「複製禁止」と判定できないという問題点もあった。
【００１５】
また、上記従来の画像比較による判定方法では、予め対応するパターンデータを記憶している原稿（読取対象物）でなければ、複製可否の判定を行えず、装置出荷後に新たに発行された紙幣を「複製禁止」と判定できないという問題点があった。
【００１６】
また、複製可否の判定は、読取り開始前に行われるのが理想であるが、上記従来の画像比較による判定方法では、原稿（読取対象物）の画像データを読み取ってからパターン認識を行うため、原稿（読取対象物）を読み取ってからでないと複製可否の判定ができないという問題点があった。
【００１７】
また、複製禁止と判定された原稿（読取対象物）についての従来の複製（偽造）を防止するための対策は十分とはいえなかった。
【００１８】
本発明は係る事情に鑑みてなされたものであり、低コストで汎用性高く確実に複製可否を判定できる複製可否判定装置、及び、その複製可否判定装置による判定結果に応じて適切な複製防止動作を行うことができる画像読取装置、スキャナ装置、ファクシミリ装置、複写装置、及び、複合機を提供することを目的とする。
【課題を解決するための手段】
【００１９】
請求項１に記載の複製可否判定装置は、読取対象物に付加された無線タグから送信される所定の無線タグ情報を受信する無線タグ情報読出手段と、その無線タグ情報読出手段により受信された前記無線タグ情報に基づいて前記読取対象物の複製の可否を判定する複製可否判定手段とを備えたことを特徴とする。
【００２０】
請求項２に記載の複製可否判定装置は、請求項１に記載の複製可否判定装置において、前記複製可否判定手段は、前記無線タグ情報読出手段により前記無線タグ情報が受信された場合において、当該無線タグ情報中の所定の複製可否設定情報が、「複製禁止」に設定されていれば「複製禁止」と判定し、それ以外の設定の場合は「複製可」と判定するものであることを特徴とする。
【００２１】
請求項３に記載の複製可否判定装置は、請求項１に記載の複製可否判定装置において、前記複製可否判定手段は、前記無線タグ情報読出手段により前記無線タグ情報が受信された場合において、当該無線タグ情報中の所定の無線タグ被付加物種別設定情報により特定される種別が、自装置において予め「複製禁止」に設定されている種別であれば「複製禁止」と判定し、それ以外の種別については「複製可」と判定するものであることを特徴とする。
【００２２】
請求項４に記載の複製可否判定装置は、請求項１に記載の複製可否判定装置において、前記複製可否判定手段は、前記無線タグ情報読出手段により前記無線タグ情報が受信された場合において、当該無線タグ情報中の所定の複製禁止ランク情報により特定されるランクが、自装置において予め設定されているランクよりも上位であれば「複製禁止」と判定し同位または下位であれば「複製可」と判定するものであることを特徴とする。
【００２３】
請求項５に記載の複製可否判定装置は、請求項１に記載の複製可否判定装置において、前記複製可否判定手段は、前記無線タグ情報読出手段により前記無線タグ情報が受信された場合において、当該無線タグ情報中に所定の通し番号情報がある場合には「複製禁止」と判定し、ない場合には「複製可」と判定するものであることを特徴とする。
【００２４】
請求項６に記載の複製可否判定装置は、請求項１ないし５のいずれかに記載の複製可否判定装置において、前記複製可否判定手段は、前記無線タグ情報読出手段により前記無線タグ情報が受信されない場合には「複製可」と判定するものであることを特徴とする。
【００２５】
請求項７に記載の複製可否判定装置は、請求項１ないし６のいずれかに記載の複製可否判定装置において、前記無線タグ情報読出手段が送出する電波の送出レベルを、自装置において前記読取対象物がセットされる位置と、前記無線タグ情報読出手段の設置位置との距離以内にほぼ在る無線タグのみが反応する程度のレベルに抑えて設定したことを特徴とする。
【００２６】
請求項８に記載の複製可否判定装置は、請求項１ないし７のいずれかに記載の複製可否判定装置において、前記無線タグ情報読出手段の電波受信感度を、自装置において前記読取対象物がセットされる位置と、前記無線タグ情報読出手段の設置位置との距離以内にほぼ在る無線タグのみからの電波を受信できる程度の感度に抑えて設定したことを特徴とする。
【００２７】
請求項９に記載の複製可否判定装置は、請求項１ないし８のいずれかに記載の複製可否判定装置において、前記無線タグ情報読出手段の電波の受信または／及び送信について、自装置における前記無線タグ情報読出手段の電波受信部または／及び送信部の設置位置から前記読取対象物がセットされる位置の方向に指向性を持たせたことを特徴とする。
【００２８】
請求項１０に記載の画像読取装置は、請求項１ないし９のいずれかに記載の複製可否判定装置を備え、前記読取対象物を読み取って画像データを得る画像読取手段と、画像データを所定の形態で出力する画像データ出力手段と、前記複製可否判定手段により「複製可」と判定された場合には前記読取対象物を前記画像読取手段により読み取り画像データを得ると共に、その得られた画像データを前記画像データ出力手段により出力する一方、前記複製可否判定手段により「複製禁止」と判定された場合には所定の複製防止処理を行う画像読取制御手段とを更に備えたことを特徴とする。
【００２９】
請求項１１に記載の画像読取装置は、請求項１０に記載の画像読取装置において、前記画像読取制御手段が行う前記所定の複製防止処理は、所定の読取開始指示操作入力があっても前記画像読取手段による前記読取対象物の読み取りを開始しない処理を含むことを特徴とする。
【００３０】
請求項１２に記載の画像読取装置は、請求項１０に記載の画像読取装置において、前記画像読取制御手段が行う前記所定の複製防止処理は、前記画像読取手段による前記読取対象物の読み取りを中断・停止して前記画像データ出力手段による出力を行わない処理を含むことを特徴とする。
【００３１】
請求項１３に記載の画像読取装置は、請求項１０に記載の画像読取装置において、前記画像読取制御手段が行う前記所定の複製防止処理は、前記画像読取手段により前記読取対象物を読み取りメモリに蓄積した画像データの前記画像データ出力手段による出力を行わない処理を含むことを特徴とする。
【００３２】
請求項１４に記載の画像読取装置は、請求項１０に記載の画像読取装置において、前記画像読取制御手段が行う前記所定の複製防止処理は、前記画像読取手段により前記読取対象物を読み取りメモリに蓄積した画像データに対して、悪用防止のための所定の画像処理を行った上で前記画像データ出力手段による出力を行う処理を含むことを特徴とする。
【００３３】
請求項１５に記載の画像読取装置は、請求項１０ないし１４のいずれかに記載の画像読取装置において、前記複製可否判定手段は、前記無線タグ情報読出手段により受信された前記無線タグ情報に基づいて前記読取対象物の複製の可否を判定することに加え、前記読取対象物を読み取りメモリに蓄積された画像データについて所定の画像認識処理を行うことで前記読取対象物の複製の可否を判定するものである一方、前記画像読取制御手段が行う前記所定の複製防止処理は、前記画像読取手段により前記読取対象物を読み取りメモリに蓄積した画像データの前記画像データ出力手段による出力を行わない処理を含むことを特徴とする。
【００３４】
請求項１６に記載の画像読取装置は、請求項１０ないし１４のいずれかに記載の画像読取装置において、前記複製可否判定手段は、前記無線タグ情報読出手段により受信された前記無線タグ情報に基づいて前記読取対象物の複製の可否を判定することに加え、前記読取対象物を読み取りメモリに蓄積された画像データについて所定の画像認識処理を行うことで前記読取対象物の複製の可否を判定するものである一方、前記画像読取制御手段が行う前記所定の複製防止処理は、前記画像読取手段により前記読取対象物を読み取りメモリに蓄積した画像データに対して、悪用防止のための所定の画像処理を行った上で前記画像データ出力手段による出力を行う処理を含むことを特徴とする。
【００３５】
請求項１７に記載の画像読取装置は、請求項１２ないし１６のいずれかに記載の画像読取装置において、前記画像読取制御手段が行う前記所定の複製防止処理は、前記読取対象物を読み取りメモリに蓄積した画像データであって、当該読取対象物が「複製禁止」と判定されたものである場合に、当該メモリに蓄積された当該画像データを上書き消去する処理を含むことを特徴とする。
【００３６】
請求項１８に記載の画像読取装置は、請求項１０ないし１７のいずれかに記載の画像読取装置において、前記複製可否判定手段により「複製禁止」と判定された場合に、「複製禁止」の旨をユーザが認識可能な所定の形態で出力する複製禁止通知手段を更に備えたことを特徴とする。
【００３７】
請求項１９に記載の画像読取装置は請求項１０ないし１８のいずれかに記載の画像読取装置において、前記画像読取手段は、コンタクトガラス上に載置された前記読取対象物を当該コンタクトガラス下で移動する走行体により副走査して読み取るものである一方、前記無線タグ情報読出手段の少なくとも電波受信部または／及び送信部を前記走行体上に配置したことを特徴とする。
【００３８】
請求項２０に記載の画像読取装置は、請求項１９に記載の画像読取装置において、前記前記無線タグ情報読出手段は、前記走行体が副走査方向にほぼ一定距離移動する毎に無線タグからの無線タグ情報を読み取るものであることを特徴とする。
【００３９】
請求項２１に記載の画像読取装置は、請求項１０ないし２０のいずれかに記載の画像読取装置において、前記複製可否判定手段により「複製禁止」と判定された場合に、予め記憶していた自端末識別情報を前記読取対象物に付加された無線タグに送信して書き込む自端末識別情報書込手段を更に備えたことを特徴とする。
【００４０】
請求項２２に記載のスキャナ装置は、請求項１０ないし２１のいずれかに記載の画像読取装置を備え、前記画像データ出力手段は、画像データを所定のインターフェースを介して他装置に転送出力するものであることを特徴とする。
【００４１】
請求項２３に記載のファクシミリ装置は、請求項１０ないし２１のいずれかに記載の画像読取装置を備え、前記画像データ出力手段は、画像データを通信網またはネットワークを介して宛先装置に送信出力するものであることを特徴とする。
【００４２】
請求項２４に記載の複写装置は、請求項１０ないし２１のいずれかに記載の画像読取装置を備え、前記画像データ出力手段は、画像データを記録媒体上に印刷出力するものであることを特徴とする。
【００４３】
請求項２５に記載の複合機は、請求項１０ないし２１のいずれかに記載の画像読取装置を備え、前記画像データ出力手段は、画像データを所定の複数の出力形態のうちのいずれかの形態により出力するものであることを特徴とする。
【発明の効果】
【００４４】
請求項１に係る発明によれば、読取対象物に付加された無線タグから得られる無線タグ情報に基づいて複製可否を判定するため、低コストで汎用性高く確実に読取対象物の複製可否を判定することが可能となる効果が得られる。
【００４５】
請求項２に係る発明によれば、複製可否の判定を、無線タグ情報中に予め設定された複製可否を設定した情報に基づいて行うことができるため、無線タグを読取対象物に付加した側の明示的な複製可否の設定通りに複製可否の判定を行うことができ、いっそう汎用性の高い複製可否判定が可能となる効果が得られる。
【００４６】
請求項３に係る発明によれば、複製可否の判定を、無線タグ情報中に予め設定された、汎用の高い情報である種別情報と、自装置において予め設定された「複製禁止」とすべき種別との比較により行うことができるため、いっそう汎用性の高い複製可否判定が可能となる効果が得られる。
【００４７】
請求項４に係る発明によれば、複製可否の判定を、無線タグ情報中に予め設定された汎用の高い情報であるランク情報と、自装置において予め設定されたランクとの比較により行うことができるため、いっそう汎用性の高い複製可否判定が可能となる効果が得られる。
【００４８】
請求項５に係る発明によれば、複製可否の判定を、無線タグ情報中に予め設定された、汎用の高い情報であり、紙幣など複製を禁止すべき読取対象物に特徴的な情報である、通し番号の有無により行うことができるため、いっそう汎用性の高い複製可否判定が可能となる効果が得られる。
【００４９】
請求項６に係る発明によれば、無線タグ情報が受信されない読取対象物については、「複製可」と判定するため、無線タグが付加されていない通常の文書原稿などの読取対象物については、支障なく読み取り、画像データを得ることが可能となる効果が得られる。
【００５０】
請求項７に係る発明によれば、無線タグ情報を読み出すために前記無線タグ情報読出手段が送出する電波の送出レベルを必要最小限に抑えているため、装置のそばにいるユーザが手に持っていたり、ポケットに入れているものに付加されている無線タグを誤って読み取ってしまう機会を減らすことができ、いっそう確実な複製可否判定が可能となる効果が得られる。
【００５１】
請求項８に係る発明によれば、無線タグ情報を読み出すために前記無線タグ情報読出手段が電波を受信する際の感度を必要最小限に抑えているため、装置のそばにいるユーザが手に持っていたり、ポケットに入れているものに付加されている無線タグからの電波を誤って受信し読み取ってしまう機会を減らすことができ、いっそう確実な複製可否判定が可能となる効果が得られる。
【００５２】
請求項９に係る発明によれば、無線タグ情報の読み出しに指向性を持たせたため、装置のそばにいるユーザが手に持っていたり、ポケットに入れているものに付加されている無線タグからの電波を誤って受信し読み取ってしまう機会を減らすことができ、いっそう確実な複製可否判定が可能となる効果が得られる。
【００５３】
請求項１０に係る発明によれば、「複製禁止」と判定された読取対象物については、読み取って画像データを得て出力することをしないで、所定の複製防止処理を行うため、複製を禁止すべき読取対象物について適切に複製を防止することが可能となる効果が得られる。
【００５４】
請求項１１に係る発明によれば、「複製禁止」と判定された読取対象物については、読み取って画像データを得て出力することをしないで、読取り自体を開始しないようにしたため、複製を禁止すべき読取対象物について適切に複製を防止することが可能となる効果が得られる。
【００５５】
請求項１２に係る発明によれば、「複製禁止」と判定された読取対象物については、読み取って画像データを得て出力することをしないで、読み取りを中断・停止するようにしたため、複製を禁止すべき読取対象物について適切に複製を防止することが可能となる効果が得られる。
【００５６】
請求項１３に係る発明によれば、「複製禁止」と判定された読取対象物については、読み取りメモリに蓄積した画像データを出力しないようにしたため、複製を禁止すべき読取対象物について適切に複製を防止することが可能となる効果が得られる。
【００５７】
請求項１４に係る発明によれば、「複製禁止」と判定された読取対象物については、読み取りメモリに蓄積した画像データに対して、悪用防止のための所定の画像処理を行った上で出力するようにしたため、複製を禁止すべき読取対象物について適切に、複製したものの悪用を防止することが可能となる効果が得られる。
【００５８】
請求項１５に係る発明によれば、読取り完了後の画像認識処理により「複製禁止」と判定された読取対象物については、読み取りメモリに蓄積した画像データを出力しないようにしたため、複製を禁止すべき読取対象物について適切に複製を防止することが可能となる効果が得られる。
【００５９】
請求項１６に係る発明によれば、読取り完了後の画像認識処理により「複製禁止」と判定された読取対象物については、読み取りメモリに蓄積した画像データに対して、悪用防止のための所定の画像処理を行った上で出力するようにしたため、複製を禁止すべき読取対象物について適切に複製したももの悪用を防止することが可能となる効果が得られる。
【００６０】
請求項１７に係る発明によれば、「複製禁止」の読取対象物を読み取って得られ、メモリに蓄積された画像データは、例えば、全て白画素に相当する値などにより上書き消去されるため、メモリの不正読み出しによる、「複製禁止」に係る画像データの悪用をいっそう確実に防止することが可能となる効果が得られる。
【００６１】
請求項１８に係る発明によれば、「複製禁止」の読取対象物を自分が本発明に係る画像処理装置により読み取ろうしたことをユーザに対して通知することで、読み取ろうとしたのに読み取られなかった原因が「複製禁止」のためであるとユーザに把握させて、それ以上の複製行為を思いとどまらせることができるなど、装置の利便性を高めることが可能となる効果が得られる。
【００６２】
請求項１９に係る発明によれば、前記無線タグ情報読出手段の少なくとも電波受信部または／及び送信部を前記走行体上に配置することで、前記コンタクトガラス上に載置された読取対象物のどこに付加されているか不明な無線タグを、前記走行体の読み取り時の副走査方向の移動に便乗して探すようにして無線タグ情報の受信を行うことができるため、結果的に、複製可否を判定をいっそう確実に行うことが可能となる効果が得られる。
【００６３】
請求項２０に係る発明によれば、副走査方向の一定距離の移動ごとに無線タグ情報の受信チェックを行うため、無線タグ情報の受信チェックが不必要に多数回行われることがなく、装置にとって処理負担が比較的重い読み取り中における追加の処理負担を最小限にとどめることが可能となる効果が得られる。
【００６４】
請求項２１に係る発明によれば、「自端末識別情報」は、複製作業が実施されようした装置に関する情報として読取対象物に付加された無線タグに書き込まれ、後に読み出されることで、当該読取対象物が複製（偽造）の対象となったことを知ることができ、当該読取対象物の偽造物がでまわったときに、偽造者の特定するための情報などとして有効に利用することが可能となる効果が得られる。
【００６５】
請求項２２に係る発明によれば、スキャナ装置において、請求項１０ないし２１のいずれかに係る発明の効果を得ることができる。
【００６６】
請求項２３に係る発明によれば、ファクシミリ装置において、請求項１０ないし２１のいずれかに係る発明の効果を得ることができる。
【００６７】
請求項２４に係る発明によれば、複写装置において、請求項１０ないし２１のいずれかに係る発明の効果を得ることができる。
【００６８】
請求項２５に係る発明によれば、複合機において、請求項１０ないし２１のいずれかに係る発明の効果を得ることができる。
【発明を実施するための最良の形態】
【００６９】
以下、添付図面を参照しながら、本発明を実施するための最良の形態について説明する
【００７０】
まず、図１に、本発明を実施するための最良の形態に係る画像読取装置１を中心としたシステムについて示す。
【００７１】
同図において、画像処理装置１は、ＬＡＮ１００を介して１０１ないし１０４のパーソナルコンピュータ（ＰＣ）と接続され、それらＰＣからＬＡＮ１００を介した読取開始指示命令を受けて読み取った画像データを命令の送信元のＰＣにＬＡＮ１００を介して転送することで、スキャナ装置として動作する。
【００７２】
また、画像読取装置１は、自装置で読み取った画像データを公衆網４００を介したファクシミリ装置４０１などのＧ３のファクシミリ装置へ送信したり、逆に受信したりするファクシミリ装置としても動作する。
【００７３】
また、画像読取装置１は、自装置で読み取った画像データのＳＭＴＰサーバ装置３０２を介したインターネット３００上のＰＣ３０３やネットワークファクシミリ装置３０４などへのＭＩＭＥ形式のメールによるファクシミ送信、ＰＯＰ３サーバ装置３０１を介したインターネット３００上のＰＣ３０３やネットワークファクシミリ装置３０４などからのＭＩＭＥ形式のメールによるファクシミリ受信機能を備え、ネットワークファクシミリ装置としても動作する。
【００７４】
また、画像読取装置１は、自装置で読み取った画像データを自装置で印刷出力する複写装置としても動作する。
【００７５】
画像読取装置１は、スキャナ機能、複写機能、ファクシミリ機能等の複数種類の画像処理機能に対応した複合機しても動作する。
【００７６】
図２に、本発明を実施するための最良の形態に係る画像読取装置１のブロック構成について示す。
【００７７】
同図において、ＣＰＵ２は、ＲＡＭ４を作業領域として使用しつつ、ＲＯＭ３に書き込まれた制御プログラムに基づいて装置各部を制御したり、各種データ処理したり、プロトコル制御を行う中央演算処理装置である。
【００７８】
ＲＯＭ３は、前述したように、ＣＰＵ２が装置各部を制御するための制御プログラムや固定的なデータが記憶されているリードオンリメモリである。ＲＡＭ４は、前述したようにＣＰＵ２の作業領域として使用されるランダムアクセスメモリである。
【００７９】
ＥＥＰＲＯＭ５は、装置動作に必要な各種情報が記憶されると共に、装置の電源がオフされた状態でもその記憶内容を保持する電気的に書き換え可能な読み出し専用メモリである。
【００８０】
画像読取部６は、セットされた原稿（読取対象物）を読み取って画像データを得るためのものである。画像記録部７は画像データを記録紙などの画像記録媒体に印刷出力するためのものである。画像読取部６は、画像読取手段に相当する。
【００８１】
画像処理部８は、読み取った画像データの階調処理等の各種画像処理を行う。
【００８２】
操作表示部８は、ユーザからの操作入力を受け入れるための各種キーが配設される一方、液晶表示装置等の表示器を備え、ユーザに知らせるべき装置の動作状態や、各種メッセージを表示するものである。
【００８３】
ファクシミリ通信制御部１０は、ＣＰＵ２から渡された送信データのＨＤＬＣフレーム化及びＨＤＬＣフレームからの受信データの取り出しを行うシリアルインターフェース機能と、ＨＤＬＣフレーム化された、被呼端末識別信号ＣＳＩ、ディジタル識別信号ＤＩＳなどのＧ３ファクシミリ制御信号や、画像データを、モデム信号に変調・復調して、データの送受信を行うファクシミリモデム機能を備えている。具体的には、ＩＴＵ−Ｔ勧告Ｔ．３０に基づくＧ３ファクシミリ制御信号をやりとりするための低速モデム機能能（Ｖ．２１モデム）、及び、主に画像データをやりとりするための高速モデム機能である、Ｖ．１７、Ｖ．３３、Ｖ．３４、Ｖ．２９、Ｖ．２７ｔｅｒの各モデム機能を備えている。また、ファクシミリ通信制御部１０は、宛先電話番号に対応したＤＴＭＦ信号の生成・送出も行う。
【００８４】
網制御部１１は、公衆網４００との電気的インターフェースであり、公衆網４００の加入者回線の、直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものであり、また、自動発着信機能も備えている。
【００８５】
ＬＡＮ伝送制御部１２はイーサネットのＬＡＮ１００に接続され、そのＬＡＮ１００は、ＩＰパケットの中継を行うルータ装置１０１を介してインターネット２００に接続されている。
【００８６】
そして、ＬＡＮ伝送制御部１２は、ＣＰＵ２により実現されるＴＣＰ・ＵＤＰ／ＩＰ以上のプロトコルで作成されて渡されたパケットを電気信号に変換してＬＡＮ１００に送信する一方、ＬＡＮ１００から受信した電気信号から元のパケットを取得して上位のＩＰプロトコルに渡すためのものである。
【００８７】
対無線タグ送受信部１３は、画像読取部６にセットされた原稿（読取対象物）に付加された無線タグ３０（後述）からの無線タグ情報（後述）の読み出し及び自端末識別情報（後述）の書き込みを行うためのものである。ＣＰＵ２により制御される対無線タグ送受信部１３は無線タグ情報読出手段及び自端末識別情報書込手段に相当するもので、いわゆる無線タグリーダ／ライタである。
【００８８】
システムバス１４は、上記各部がデータをやり取りするためのデータバス・アドレスバス・制御バス、割り込み信号ラインなどにより構成される信号ラインである。
【００８９】
なお、画像記録部７，ＬＡＮ伝送制御部１２，及び、ファクシミリ通信制御部１０は、各出力形態での画像データ出力手段に相当する。
【００９０】
図３に、画像読取装置１の操作表示部９の配置構成について示す。
【００９１】
同図において、テンキー９ａは、数字や「＃」「＊」の各記号を入力するためのものである。［Ｙｅｓ］キー９ｂは、表示器９ｉに表示された内容に対して肯定的な操作入力を行ためのものである。［Ｎｏ］キー９ｃは、表示器９ｉに表示された内容に対して否定的な操作入力を行うためのものである。
【００９２】
［ストップ］キー９ｄは、装置動作の強制的な中断を指示したりするためのものである。［スタート］キー９ｅは、各種装置動作の開始を指示するためのものである。［ファンクション］キー９ｆは、その押下操作と、テンキー９ａによる番号入力操作との組み合わせにより、各種設定・登録機能を呼び出したりするためのものである。
【００９３】
矢印キー群９ｇは、［↑］キー９ｇｕ、［↓］キー９ｇｄ、［→］キー９ｇｒ、及び、［←］キー９ｇｌにより構成され、表示器９ｉに表示され選択項目のうちの特定の項目を選択したり、表示器９ｉの表示を上下左右にスクロールさせたりするためのものである。［短縮］キー９ｊは、２桁の番号指定で対応して記憶された宛先を指定できる短縮宛先指定のためのものである。キーボード部９ｈは、アルファベットの宛先名称文字列や「仮名」キーとの組合せ操作によりカタカナの宛先名称文字列等の入力を行うためのものである。
【００９４】
［出力モード］キー９ｋは、読み取った画像データの出力形態を、「複写」、「スキャナ」または「ファクシミリ」のいずれかに選択設定するためのものであり、その押下による設定は、後述する図１０の記憶領域４ｅのフラグＦoutの値として反映される。
【００９５】
インジケータランプ９ｌ、９ｍ、及び、９ｎは、それぞれ、「複写」、「スキャナ」及び「ファクシミリ」のいずれの出力モードが設定されているかを表示するためのものである。図においては、「複写」が選択されている状態を示している。
【００９６】
図４に、画像読取装置１の対無線タグ送受信部１３のブロック構成について示す。
【００９７】
同図において、対無線タグ送受信部１３は、変調回路１３１、復調回路１３２、及び、変復調制御回路１３３により構成されている。
【００９８】
変復調制御回路１３３は、システムバス１４を介してＣＰＵ２から渡されたデータを変調回路１３１に渡す一方、復調回路１３２から渡されたデータをシステムバス１４を介してＣＰＵ２に渡すものである。また、変復調制御回路１３３は、ＣＰＵ２からの指示に応じて変調回路１３１の起動（搬送波出力）、停止（搬送波の出力停止）を行う。
【００９９】
変調回路１３１は、変復調制御回路１３３から渡された変調対象データを変調して所定周波数（例えば２．４５ＧＨｚ）の搬送波に重畳してコイルアンテナ１３１ａにより空間に送出するものである。
【０１００】
復調回路１３２は、コイルアンテナ１３２ａにより空間から受信した信号からデータを復調して変復調制御回路１３３に渡すためのものである。
【０１０１】
図５に、無線タグ３０が付加された読取対象物４０（無線タグ被付加物）について示す。
【０１０２】
無線タグ３０は、読取対象物４０の内部に埋め込まれたり、表面に貼付されたりすることで、読取対象物４０に付加される。無線タグ３０がひものようなものを介して読取対象物４０に付加される形態も有り得る。
【０１０３】
無線タグとは、ＲＦＩＤタグ、ＩＣタグ、ＩＤタグ、ゴマ粒ＩＣチップとも呼ばれ、最近話題になっている。無線を使い非接触にて物を識別でき、大きさも小さく、薄くなってきて、さらに記憶容量も増えているので、バーコードにとって代わろうとしている。
【０１０４】
この無線タグのチップを新しく発行する紙幣に内蔵して、紙幣を１枚づつ管理したらどうかという話もでている。当然、無線タグを埋め込んだ紙幣を完全に偽造するにはそれなりの技術が必要となる。単純にスキャナ等で画像を読み込んでも、無線タグは埋め込むことはできないので、完全な偽造品を作ることができない。しかし、世の中の末端の小売店で偽造かどうかを判断する機械を全ての店が導入できるとは考えにくい。そこで、やはり、画像を読み取る側にもこの無線タグを埋め込んだ紙幣・有価証券等を複製できなくする必要が生じる。
【０１０５】
図６に、無線タグ３０のブロック構成について示す。
【０１０６】
同図において、無線タグ３０は、ＣＰＵ３１、ＲＯＭ３２、ＲＡＭ３３、ＥＥＰＲＯＭ３４、送受信部３５、及び、システムバス３６により構成されている。
【０１０７】
ＣＰＵ３１は、ＲＡＭ３３を作業領域として使用しつつ、ＲＯＭ３２に書き込まれた制御プログラムに基づいて装置各部を制御したり、各種データ処理を行う中央演算処理装置である。
【０１０８】
ＲＯＭ３２は、前述したように、ＣＰＵ３１が装置各部を制御するための制御プログラムや固定的なデータが記憶されているリードオンリメモリである。ＲＡＭ３３は、前述したようにＣＰＵ３１の作業領域として使用されるランダムアクセスメモリである。
【０１０９】
ＥＥＰＲＯＭ３４は、装置動作に必要な各種情報が記憶されると共に、装置の電源がオフされた状態でもその記憶内容を保持する電気的に書き換え可能な読み出し専用メモリである。
【０１１０】
送受信部３５は、無線タグ３０からデータを読み取ろうとする装置、または／及び、無線タグ３０にデータを書き込もうとする装置との間で信号を送受信するためのものである。
【０１１１】
システムバス１４は、上記各部がデータをやり取りするためのデータバス・アドレスバス・制御バス、割り込み信号ラインなどにより構成される信号ラインである。
【０１１２】
無線タグ３０は、送受信部３５から得られる動作電源Ｖｄｄ（後述）により動作する。
【０１１３】
無線タグの通信方式としては、電磁結合方式、電磁誘導方式、マイクロ波方式などがあるが、本発明は、無線タグと画像読取装置１との無線通信の方式により限定されるものではない。
【０１１４】
図７に送受信部３５のブロック構成に付いて示す。
【０１１５】
同図において、変復調制御回路３５１は、システムバス３６を介してＣＰＵ２から渡されたデータを変調回路３５２に渡す一方、復調回路３５３から渡されたデータをシステムバス３６を介してＣＰＵ３１に渡すものである。
【０１１６】
変調回路３５２は、変復調制御回路３５１から渡された変調対象データを変調して搬送波に重畳してコイルアンテナＬにより空間に送出するものである。
【０１１７】
復調回路３５３は、コイルアンテナＬにより受信され、そのＬと、並列のコンデンサＣとに同調した所定周波数（例えば２．４５ＧＨｚ）の搬送波から変調信号成分を抽出して元のデータを復調して変復調制御回路３５１に渡すためのものである。
【０１１８】
周波数帯としては、２．４５ＧＨｚの他、１３．５６ＭＨｚ、９００−９６０ＭＨｚなどがある。１３．５６ＭＨｚの場合、発電は電磁誘導により行われ、指向性は弱いが通信距は短い傾向がある。２．４５ＧＨｚの場合はマイクロ波方式で発電は金属配線の受信アンテナの共振による電流の発生により行われ、通信距離は長い反面指向性が強い傾向がある。変調方式としては、無線タグ３０への送信がＡＳＫ変調（振幅変調）、無線タグ３０からの受信がＦＳＫ変調（周波数変調）とする方式がある。
【０１１９】
整流平滑回路３５４は、搬送波を受信したコイルＬの両端に発生する交流電圧を平滑及び整流して無線タグ３０の動作電源となる電圧Ｖｄｄを出力する。
【０１２０】
無線タグ３０としては、以上説明した受信電波を電源とするものの他に、小型の電池を内蔵したものもあるが、本発明は、無線タグ３０の動作電源の供給形態により限定されるものではない。また、無線タグ３０としては、ＣＰＵ、ＲＯＭ、ＲＡＭ等を備えたマイクロコンピュータ方式のものに限らず、送受信部とメモリｉ／ｆ回路とＥＥＰＲＯＭだけで構成されたものであってもよいのはいうまでもない。
【０１２１】
図８に、画像読取装置１の画像読取部６の構成について模式的に示す。
【０１２２】
同図（ａ）において、装置上面に配置されたコンタクトガラス５０上には、コンタクトガラス５０に対して開閉自在に取り付けられた厚板５１が配置されている。厚板５１は、その自重で、コンタクトガラス５０上の原稿（読取対象物）４０をコンタクトガラス５０の表面に密着させると共に、排紙のためのベルト駆動の機構を内蔵し、ＡＤＦ５２によりコンタクトガラス５０上に送られた原稿４０を排紙する。
【０１２３】
ＡＤＦ（自動原稿送り装置）５２は、トレイ５３上に載置された原稿４０を搬送経路５２ａに沿ってコンタクトガラス５０上に搬送する。
【０１２４】
コンタクトガラス５０の下方に配置された光源ユニット５４からの光は、コンタクトガラス５０上の原稿４０に照射され、その照射された光は、原稿４０により反射され、その反射光が、ミラー５５ａ、５５ｂ、５５ｃの順に反射されて、縮小光学系を構成するレンズ５６に入射し、ＣＣＤ基板５８上に配置されたＣＣＤ５７のライン状の受光素子群に結像されて光電変換され、原稿４０の画像が１主走査ライン分の読み取られる。
【０１２５】
光源ユニット５４、ミラー５５ａ、５５ｂ、及び、５５ｃは、走行体５９上に載置され、その走行体５９は、コンタクトガラス５０の下において、図示しない副走査機構により図示する副走査方向に移動する。その副走査方向の移動により、コンタクトガラス５０上の原稿（読取対象物）４０に対応する一面の画像データを得ることができる。
【０１２６】
原稿（読取対象物）４０は、通常の紙の原稿である場合もあるが、図５に示したように、無線タグ３０が付加されたものである場合もある。
【０１２７】
画像読取装置１は、原稿（読取対象物）４０に付加された無線タグ３０との間でデータの送受信を行う必要があるため、前述したように、対無線タグ送受信部１３を備えるが、その配置位置としては、もっとも基本的には、装置の任意の場所、例えば、制御基板の一部として配置することができる。
【０１２８】
しかし、原稿（読取対象物）４０に付加された無線タグ３０との間のデータの送受信の確実性を考えた場合、対無線タグ送受信部１３の少なくとも送受信部（コイルアンテナ１３１ａとそれを駆動する変調回路１３１、コイルアンテナ１３２ａと復調回路１３２）は、原稿（読取対象物）４０の近くに配置するのが、誤検出の防止の点で好ましい。
【０１２９】
そこで、対無線タグ送受信部１３の配置位置として考えられるのは、トレイ５３にセットされた原稿（読取対象物）４０に近いＡＤＦ５２内部や表面か、コンタクトガラス５０上の原稿（読取対象物）４０と近い厚板５１の内部や表面がある。また、トレイ５３の内部や表面に配置することも考えられる。
【０１３０】
しかし、本発明を実施するための最良の形態では、対無線タグ送受信部１３を、走行体５９のできるだけコンタクトガラス５０、つまり、その上に載置される原稿（読取対象物）４０に近い位置に配置するようにしている。
【０１３１】
それは、走行体５９が原稿読取りの際に副走査方向に移動するため、対無線タグ送受信部１３により、原稿（読取対象物）４０に内蔵または付加された無線タグ３０をスキャンするようにくまなく探せる点で好ましいためである。
【０１３２】
もちろん、対無線タグ送受信部１３の送受信部のみを複数用意して、ＡＤＦ５２、厚板５１、トレイ５３などに分散配置して、無線タグ３０を見付ける機会を増やすように構成することができるのはいうまでもない。また、送受信部を含めた対無線タグ送受信部１３自体を複数配置するようにしてもよい。その配置形態としては、互いに離れたところに配置したり、アンテナの向きを変えたものを複数配置することが考えられる。
【０１３３】
また、厚板５１に導電性の板や箔を設けて装置外部から到来する電波をシールドして、誤検出の防止効果を高めるようにしてもよい。また、画像読取装置１の外カバー全体に導電性の板や箔を設けてより完全な電波シールドを行い、更なる誤検出の防止効果の向上を図るようにしてもよい。
【０１３４】
また、無線タグリーダ／ライタとしての対無線タグ送受信部１３を固定的なものではなく動的なものとして構成することも考えられる。具体的には、アンテナとなる送受信部を含めた対無線タグ送受信部１３自身、または、そのアンテナ部分のみを、ステッピングモータなどにより回転駆動する構成として、回転しながら無線タグ３０を探すようにしたり、走行体５９に取り付けた対無線タグ送受信部１３の少なくともアンテナ部分が走行体と共に移動しつつ回転して、無線タグ３０を探すようにする構成が考えられる。
【０１３５】
図８（ｂ）は、同図（ａ）の状態から厚板５１（及びそれと一体のＡＤＦ５２）がはね上げられた状態を示している。ただし、厚板５１及びＡＤＦ５２の図示は省略している。ユーザによっては、はねあげられた状態のまま読取り開始の操作をして読取り開始させる場合もある。また、立体物の一面を読み取るような場合には、同図（ｂ）の形態で読み取らざるを得ない。
【０１３６】
その状態では、原稿（読取対象物）４０は、コンタクトガラス５０上に配置されるが、ＡＤＦ５２や厚板５１は、原稿４０から離れて過ぎてしまうため、対無線タグ送受信部１３が走行体５９上に載置される利点が強調される。
【０１３７】
対無線タグ送受信部１３の搬送波の送出レベルは、ユーザの服のポケットに入っている無線タグ３０付きの紙幣などを誤検出しないようにするために、原稿（読取対象物）４０がセットされる位置と、対無線タグ送受信部１３の配置との距離の範囲内にほぼある無線タグ３０のみを反応させることができる程度に低く設定することが好ましい。
【０１３８】
また、同様の理由から、対無線タグ送受信部１３の受信感度は、原稿（読取対象物）４０がセットされる位置と、対無線タグ送受信部１３の配置との距離の範囲内にほぼある無線タグ３０のみから信号を受信できる程度に低く設定することが好ましい。
【０１３９】
なお、画像読取部６は、原稿４０がＡＤＦ５２へセットされるか、または、コンタクトガラス５０上に載置されると、その原稿４０による発光素子から受光素子に入射する光の遮りにより、原稿の有無を検出する原稿センサを備えている（図示省略）。
【０１４０】
図９に、画像読取装置１のＥＥＰＲＯＭ５の本発明に特徴的な記憶内容について示す。
【０１４１】
同図において、ＥＥＰＲＯＭ５には、記憶領域５ａないし５ｄにそれぞれ複製可否判定基準フラグＦｊ、ランク値ＶＬ、複製禁止読取対象物種別設定テーブル、及び、自装置識別情報が予め設定・記憶されている。
【０１４２】
記憶領域５ａの複製可否判定基準フラグＦｊは、複製可否判定をどの情報を基準として行うかを設定するためフラグであり値１ないし４のいずれかの値をとる。値１は、複製可否設定フラグに基づいて判定することを示し、値２は、ランク値に基づいて判定することを示し、値３は、複製禁止種別の設定に基づいて判定することを示し、値４は通し番号に基づいて判定することを示している。
【０１４３】
なお、本発明を実施するための最良の形態においては、複製可否判定基準フラグＦｊの値の設定により、複製可否判定の基準を変更可能な構成としているが、いずれか１つの判定基準に固定するようにしてもよいのはいうまでもない。
【０１４４】
記憶領域５ｂのランク値ＶＬは、値１ないし４のいずれかに予め設定される。ランク値ＶＬは、値１がもっとも厳しく複製が規制されるべきことを示し、値４がもっとも規制が緩い。値２、３はその中間である。なお、ランク値ＶＬは１ないし４の４段階より少ない３段階以下、または、５段階以上に設定できるのはいうまでもない。
【０１４５】
ランク分け例としては、ランク１に分類されるべき読取対象物を、紙幣、有価証券とし、ランク２に分類されるべき読取対象物を、著作権や肖像権等のあるものとし、ランク３に分類されるべき読取対象物を、チケット、入場券などとし、ランク４に分類されるべき読取対象物を、免許証、健康保険証など個人を証明するものとし、ランク５に分類される読取対象物を、上記ランク１ないし４のいずれにも属さない種別のものとする例が挙げられる。
【０１４６】
なお、複製禁止の対象となり得る読取対象物としては、詳細には、紙幣、有価証券（手形、小切手、商品券、株券など、その所有者の財産権を証明する証書）や、本、雑誌、書籍などの著作権や肖像権などのあるものや、映画、コンサートなどの入場券、チケットなどや、電車などの乗車券、フリーパスなどや、金券、ギフトカード、お買い物券、商品券、遊園地、展覧会、博物館の入場券、音楽の楽譜、歌詞カードなどや、宝くじなどの各種抽選券、ハイウェイカード、バスカードなどや、免許証、パスポート、健康保険証、クレジットカード、銀行カード、預金通帳などが挙げられる。
【０１４７】
ランク値ＶＬが１に設定された装置は、ランク値ＶＬが１ないし４のいずれかに設定された読取対象物の複製が許可される。ランク値ＶＬが２に設定された装置は、ランク値ＶＬが２ないし４のいずれかに設定された読取対象物の複製が許可される。ランク値ＶＬが３に設定された装置は、ランク値ＶＬが３または４のいずれかに設定された読取対象物の複製が許可される。ランク値ＶＬが４に設定された装置は、ランク値ＶＬが４に設定された読取対象物についてのみ複製が許可される。
【０１４８】
ランク１ないし４のいずれかにランク分けされた各読取対象物は、どれも基本的に複製が禁止されるべきものであるが、画像読取装置１の設置環境によっては、複製作業が必要となる場合がある。具体的には、役所などでは、免許証、健康保険証などの身分を証明する読取対象物を複製（複写）する必要がある場合がある。
【０１４９】
そのような環境に設置される画像読取装置１については、出荷段階の設定、または、資格を有するサービスマンによる設定（パスワードの入力を伴う操作表示部９からの設定操作など）により、記憶領域５ｂのランク値ＶＬを値４に設定しておく。
【０１５０】
ランク１ないし４に属する種別の読取対象物の複製が禁止されるべき通常の出荷先については、記憶領域５ｂのランク値ＶＬとして値５を設定する。
【０１５１】
なお、記憶領域５ｂのランク値ＶＬが参照されるのは、記憶領域５ａのフラグＦｊが値２に設定されている場合である。
【０１５２】
記憶領域５ｃの複製禁止読取対象物種別設定テーブルは、各種種別の読取対象物のうち、複製を禁止すべきものを予め設定するためのものであり、各識別番号と複製禁止可否設定フラグＦｉの値との対応付けにより構成されている。
【０１５３】
フラグＦiは、値１が複製禁止を示し、値０が複製可を示している。識別番号は、１が紙幣、２が有価証券、３が商品券、４が図書券、５が預金通帳というように、各番号が各種別の読取対象物に対応している。図においては、紙幣と有価證券が複製禁止に設定されている。
【０１５４】
テーブル５ｃにおいては、フラグＦｉの設定により、複製禁止にすべき種別を設定することで、設定変更に対応できるようにしているが、フラグＦｉの設定を省いて、テーブル５ｃに予め登録された種別（識別番号）の読取対象物はすべて複製禁止とするようにしてもよいのはいうまでもない。
【０１５５】
なお、テーブル５ｃが参照されるのは、記憶領域５ａのフラグＦｊが値３に設定されている場合である。
【０１５６】
記憶領域５ｄの自装置識別情報は、会社コード、機種番号及び製造番号により構成されるもので、画像読取装置１を、自機種の他装置、自メーカの他機種、他メーカの各機種の装置と区別するための情報である。
【０１５７】
図１０に、画像読取装置１のＲＡＭ４の本発明に特徴的な記憶内容について示す。
【０１５８】
同図において、記憶領域４ａは、指定宛先情報を一時記憶するための記憶領域である。その宛先情報は、画像読取時に出力モードがファクスである場合に指定されるものである。
【０１５９】
記憶領域４ｂは、無線タグ３０から読み出した無線タグ情報を一時記憶するための記憶領域である。
【０１６０】
記憶領域４ｃは、情報読出フラグＦｒのための記憶領域であり、フラグＦｒは、値１が「読み出せた」を示し、値０が「読み出せなかった」を示す。
【０１６１】
記憶領域４ｄは、複製可否判定結果フラグＦｈのための記憶領域であり、フラグＦｈは、値１が「複製禁止」を示し、値０が「複製可」を示す。
【０１６２】
記憶領域４ｅは、画像データ出力モード設定フラグＦoutのための記憶領域であり、フラグＦoutは、値１が複写（印刷出力）、値２がスキャナ（他装置に転送）、値３がファクシミリ（指定された宛先に送信）に対応する。フラグＦoutの値は、操作表示部９の［出力モード］キー９ｋの押下に応じて、１、２、３，１、２、３、…と循環的に設定変更される。
【０１６３】
図１１に、画像読取装置１のＲＯＭ３の本発明に特徴的な記憶内容について示す。
【０１６４】
同図において、ＲＯＭ３の記憶領域３ａには、複製禁止画像データ識別用データが予め記憶されていて、画像認識による複製可否判定の際に参照される。
【０１６５】
図１２に、無線タグ３０のＥＥＰＲＯＭ３４の記憶内容について示す。
【０１６６】
ＥＥＰＲＯＭ３４には、記憶領域３４ａに無線タグ情報が記憶されている。
【０１６７】
無線タグ情報３４ａは、図９に示した画像読取装置１のＥＥＰＲＯＭ５の記憶内容に対応する記憶内容をふくんでいる。
【０１６８】
無線タグ情報３４ａは、「固定的情報」と「書き込む情報」とにわけられ、「固定的情報」は、読み出されるのみで、書き換えられることのない情報である。「書き込む情報」は、書き込まれて変更される可能性のある情報である。
【０１６９】
「固定的情報」は、「複製可否設定フラグＦｃ」、「ランク値ＶＬ」、「無線タグ被付加物種別情報」、及び、「通し番号」の各情報を含む。
【０１７０】
なお、無線タグ情報の内容については、現在ＩＳＯにおいてそのコード体型の標準化が検討されており、そのコード体系においては、「発番機関コード」、「企業コード」、「品目コード」及び「シリアル番号」の４つで構成される。「無線タグ被付加物種別情報」は「品目コード」に相当し、「通し番号」は「シリアル番号」に相当するが、そのような標準化の動向を考慮すると、「複製可否設定フラグＦｃ」や「ランク値ＶＬ」の情報は上記のコード体系には含まれないため、上記のコード以外のヘッダー部分（コード体系とは別の管理情報用のデータ列）に含めるようにすることができる。
【０１７１】
「固定的情報」の「複製可否設定フラグＦｃ」は、図９の記憶領域５ａのフラグＦｊが１に設定されている場合に参照されるものであり、無線タグ３０が付加される物（無線タグ被付加物（画像読取装置１からみた場合読取対象物）の複製を禁止したいという、無線タグ３０を読取対象物に取り付けた側の意志を反映したものであり、値１が複製禁止を、値０が複製可を示している。
【０１７２】
「固定的情報」の「ランク値ＶＬ」は、図９の記憶領域５ｂのランク値ＶＬに対応するものであり、１ないし５のいずれかの値が設定される。このランクの設定により、複製をどのレベルで規制したいかを示す。例えば免許証ならランク４、紙幣、有価証券であればランク１というように設定する。
【０１７３】
「固定的情報」の「無線タグ被付加物種別情報」は、図９の複製禁止読取対象物種別設定テーブル５ｃに対応するものであり、無線タグ３０が付加される物（読取対象物）の種別に応じた値が設定される（例えば図書券なら４）。
【０１７４】
「固定的情報」の「通し番号」は、無線タグ被付加物が紙幣などの通し番号が付加される性質のものである場合に、その無線タグ被付加物に付加される通し番号またはその通し番号に対応する通し番号（記号を含んでいてもよい）が設定される。なお、「通し番号」の特別なものとして番号「０」は、無線タグ被付加物が通し番号が付加されない（紙幣などではない）ことを示す。
【０１７５】
無線タグ情報３４ａのうちの「固定的情報」は、後述する処理による画像読取装置１により読み出されて参照されるが、例えば、無線タグ情報３４ａが１２８ビットのビット列で構成される場合各情報がどのビット位置で何ビットを占めるのかのデータフォーマットについては、画像読取装置１側で予め了解していれば正しく読み取ることができる。
【０１７６】
あるいは画像読取装置１と無線タグ３０とが、所定のプロトコルにより各情報を順次やりとりするようにしてもよく、要するに、画像読取装置１と無線タグ３０とのデータのやりとりの方式により本発明は限定されるものではない。
【０１７７】
無線タグ情報３４ａの「書き込む情報」は、「複製作業有無フラグＦｆ」と、「複製作業実施装置識別情報」と含んでいる。フラグＦｆは、値１が複製作業ありを示し、値０が複製作業なし（初期値）を示している。「複製作業実施装置識別情報」は、後述する処理によりフラグＦｆが１に設定されるのと同時に書き込まれる情報であり、図９の自装置識別情報５ｄと同一内容、つまり、会社コード、機種番号及び製造番号により構成されている。
【０１７８】
図１３及び図１４に、画像読取装置１における画像読取制御処理手順について示す。この画像読取制御処理手順は画像読取制御手段に相当する。また、処理Ｓ１０５、処理Ｓ２１２、処理Ｓ２０８の各複製可否判定処理は、複製可否判定手段に相当する
【０１７９】
先ず、図１３において、ＣＰＵ２は、画像読取部６の図示しない原稿センサにより原稿（読取対象物）がセットされたことが検出されるまで待ち（判断Ｓ１０１のＮｏのループ）、原稿がセットされると（判断Ｓ１０１）、無線タグ３０と通信するための対無線電波信号の送信を開始する（処理Ｓ１０２）。そして、無線タグ情報読出処理を行う（処理Ｓ１０３）。その読出処理（詳細後述）では、無線タグ情報が読み出せた場合フラグＦｒを１にセットし、読み出せなかった場合フラグＦｒを０にリセットする処理が行われる。
【０１８０】
そして、無線タグ情報が読み出せた否かを判断し（判断Ｓ１０４）、読み出せない場合には（判断Ｓ１０４のＮｏ）、画像出力モードをフラグＦoutの値により判断し（判断Ｓ１０７）、「複写モード」の場合には、［スタート］キー９ｅが押下されたかを判断し（判断Ｓ１０８）、押下されていない場合には（判断Ｓ１０８のＮｏ）、処理Ｓ１０３に戻る。
【０１８１】
判断Ｓ１０７において、「スキャナモード」の場合には、ＬＡＮ１００を介したＰＣ１０１などからの開始指示命令があるかを判断し（判断Ｓ１０９）、指示命令がない場合には（判断Ｓ１０９のＮｏ）、処理Ｓ１０３に戻る。
【０１８２】
判断Ｓ１０７において、「ファクシミリモード」の場合には、宛先電話番号、メールアドレスなどの操作表示部９を介した宛先指定入力に応じて、その入力された宛先指定情報を図１０に示したようにＲＡＭ４の記憶領域４ａに記憶する宛先指定処理（処理Ｓ１１０）を行い、更に、［スタート］キー９ｅが押下されたかを判断し（判断Ｓ１１１）、押下されていない場合には（判断Ｓ１１１のＮｏ）、処理Ｓ１０３に戻る。
【０１８３】
そのように、原稿（読取対象物）がセットされてから、読み取りが開始されるまでの間、処理Ｓ１０３の無線タグ情報読出処理が繰り返し行われ、判断Ｓ１０４の判断が行われるが、処理Ｓ１０３により無線タグ情報が読み出せた場合、判断Ｓ１０４がＹｅｓとなり、複製可否判定処理（詳細後述）が行われる（処理Ｓ１０５）。その判定処理では、「複製可」と判定された場合にフラグＦｈが０にリセットされ、「複製禁止」と判定された場合にはフラグＦｈが１にセットされる処理が行われる。
【０１８４】
処理Ｓ１０５の後は、フラグＦｈの値に基づいて複製禁止判定を行い（判断Ｓ１０６）、複製可と判定された場合には（判断Ｓ１０６のＮｏ）、判断Ｓ１０７に移行してそれぞれの画像出力モードに応じた画像読み取り開始指示を待つが、複製禁止と判定された場合には（判断Ｓ１０６の［Ｙｅｓ］、もはや送出する必要のない対無線タグ電波信号の送信を終了した上で（処理Ｓ１１２）、複製作業関連情報書込処理（詳細後述）を行い（処理Ｓ１１３）、複製防止処理（詳細後述）を行う（処理Ｓ１１４）。なお、対無線タグ電波信号の送信は常時行うようにしても問題ないが、無駄電波送信は電力の無駄であるため、無線タグ情報の受信後または、無線タグ情報の受信チェック動作が終了したら速やかに送信を停止することが好ましい。
【０１８５】
これにより、原稿（読取対象物）セット後、読み取りが開始されるまでの間に無線タグ情報の読み出しを繰り返し試み、無線タグ情報が読み出せた場合には、その無線タグ情報に基づいて複製可否が判定され、複製禁止と判定された場合には複製作業関連情報書込及び複製防止の各処理が行われ、セットされた原稿（読取対象物）の画像が複製されて悪用されることを未然に防止することができる。
【０１８６】
判断Ｓ１０８において［スタート］キー９ｅが押下されるか（判断Ｓ１０８のＹｅｓ）、判断Ｓ１０９において、開始指示命令があるか（判断Ｓ１０９のＹｅｓ）、または、判断Ｓ１１１において、［スタート］キー９ｅが押下されると（判断Ｓ１１１のＹｅｓ）、図１４の処理Ｓ２０２に移行する。
【０１８７】
図１４において、処理Ｓ２０２の前に、処理Ｓ２０１、つまり、図１３の処理Ｓ１０２と同様の対無線タグ電波信号送信を開始する処理を置くこともできる。
【０１８８】
これは、画像読取部６が原稿センサを備えない場合に対応したもので、読み取るべき原稿（読取対象物）が正しくセットされたことを、読み取り開始の操作や命令があったことをもって判断する場合、読み取り開始前の、原稿が正しくセットされているかわからない状態で、偶然、対無線タグ送受信部１３のそばに無線タグ３０が付加された原稿があった場合に、その無線タグ３０から無線タグ情報を誤読み出してしまうことを防止する。
【０１８９】
なお、処理Ｓ２０１を適用する場合、つまり、原稿センサを画像読取部が備えない場合には処理Ｓ１０２は行わない。
【０１９０】
さて、処理Ｓ２０２においてはセットされた原稿を読み取り、順次得られる画像データをＲＡＭ４に蓄積する処理を行う。
【０１９１】
その処理Ｓ２０２の読取・蓄積処理は、副走査方向に一定距離移動したか、または、読み取りが完了したかが判断されつつ行われる（判断Ｓ２０３のＮｏ、判断Ｓ２０６のＮｏのループ）。
【０１９２】
判断２０３における副走査方向に一定距離移動したかの判断は、図８に示したように、走行体５９に載置された対無線タグ送受信部１３が一定距離副走査方向に移動するごとに無線タグ情報の読み出しを行うためのもので、一定距離（例えば１インチ）の移動の判断は、読み取り線密度（例えば２００本／インチ）と読み取りライン数（この場合２００本）との関係により行うことができる。
【０１９３】
判断Ｓ２０３において、一定距離副走査方向に移動した場合には（判断Ｓ２０３のＹｅｓ）、無線タグ情報読出処理を行う（処理Ｓ２０４）。その読出処理（詳細後述）では、無線タグ情報が読み出せた場合フラグＦｒを１にセットし、読み出せなかった場合フラグＦｒを０にリセットする処理が行われる。
【０１９４】
そして、無線タグ情報が読み出せた否かを判断し（判断Ｓ２０５）、読み出せない場合には（判断Ｓ２０５のＮｏ）、判断Ｓ２０６に移行するが、無線タグ情報が読み出せた場合には（判断Ｓ２０５のＹｅｓ）、複製可否判定処理（詳細後述）が行われる（処理Ｓ２１２）。その判定処理では、「複製可」と判定された場合にフラグＦｈが０にリセットされ、「複製禁止」と判定された場合にはフラグＦｈが１にセットされる処理が行われる。
【０１９５】
処理Ｓ２１２の後は、フラグＦｈの値に基づいて複製禁止判定を行い（判断Ｓ２１３）、複製可と判定された場合には（判断Ｓ２１３のＮｏ）、判断Ｓ２０６に移行するが、複製禁止と判定された場合には（判断Ｓ２１３のＹｅｓ）、もはや送出する必要のない対無線タグ電波信号の送信を終了した上で（処理Ｓ２１４）、複製作業関連情報書込処理（詳細後述）を行い（処理Ｓ２１５）、複製防止処理（詳細後述）を行う（処理Ｓ２１６）。
【０１９６】
これにより、原稿（読取対象物）の読み取り中に無線タグ情報の読み出しを繰り返し試み、無線タグ情報が読み出せた場合には、その無線タグ情報に基づいて複製可否が判定され、複製禁止と判定された場合には複製作業関連情報書込及び複製防止の各処理が行われ、読み取った原稿（読取対象物）の画像が複製されて悪用されることを未然に防止するこができる。
【０１９７】
判断２１３がＹｅｓとなることなく、判断２０６がＹｅｓとなった場合、つまり、原稿（読取対象物）が複製禁止と判定されることなく読み取り・蓄積が完了した場合には、もはや送出する必要のない対無線タグ電波信号の送信を終了した上で（処理Ｓ２０７）、読取後複製可否判定処理を行う（処理Ｓ２０８）。その判定処理では、「複製可」と判定された場合にフラグＦｈが０にリセットされ、「複製禁止」と判定された場合にはフラグＦｈが１にセットされる処理が行われる。
【０１９８】
処理Ｓ２０８の読取後複製可否判定処理は、具体的には、図１１に示したように、ＲＯＭ３の記憶領域３ａに予め記憶された複製禁止画像識別用データ、つまりは、各種紙幣や有価証券などのパターンデータと、読み取った画像データとの画像比較により行う。また、画像比較による判定方法としては、前述した特許文献１に記載の技術のように、紙幣等に印刷された印影の検出に特化して、少ない量のパターンデータで紙幣等であるか否かの判定を行うようにしてもよいし、紙幣などについては、特許文献１の方法を適用し、それ以外の読取対象物については、通常のパターンデータとの画像比較により行うようにしてもよい。
【０１９９】
処理Ｓ２０８の後は、フラグＦｈの値に基づいて複製禁止判定を行い（判断Ｓ２０９）、複製可と判定された場合には（判断Ｓ２０９のＮｏ）、画像出力処理（詳細後述）を行った後、図１３の処理Ｓ１０１に移行するが、複製禁止と判定された場合には（判断Ｓ２０９のＹｅｓ）、複製防止処理（詳細後述）を行う（処理Ｓ２１１）。
【０２００】
図１５に、図１４の処理Ｓ２１０、または、図２２（後述）の処理Ｓ１１０６）として適用される画像出力処理の具体的な処理手順について示す。
【０２０１】
同図において、先ず、フラグＦoutの値に基づいて、出力モードが「複写」、「ファクシミリ」、または、「スキャナ」のいずれに設定されているかを判断する（判断Ｓ３０１）。
【０２０２】
判断Ｓ３０１において、「複写」に設定されている場合には、図１４の処理Ｓ２０４により読取・蓄積した画像データを画像読取部６により記録紙などの画像記録媒体上に印刷出力する（処理Ｓ３０２）。その場合の印刷出力形態は、インクジェット方式、電子写真方式などいかようであってもよく、画像データの記録・印刷出力形態により本発明は限定されるものではない。
【０２０３】
判断Ｓ３０１において、「ファクシミリ」に設定されている場合には、図１３の処理Ｓ１１０において指定され、図１０の記憶領域４ａに記憶されていた宛先指定情報がメールアドレスが否かを判断し（判断Ｓ３０４）、メールアドレスではない（電話番号である）場合には（判断Ｓ３０４のＮｏ）、公衆網４００を介して指定された電話番号に発呼して、図１４の処理Ｓ２０４により読取・蓄積した画像データをＧ３ファクシミリプロトコルにより相手先装置にファクシミリ送信出力する（処理Ｓ３０５）。なお、その場合のファクシミリプロトコルは、Ｇ３ファクシミリプロトコルに限定されるものではなく、その他のプロトコルであってもよい。
【０２０４】
判断Ｓ３０１において、「スキャナ」に設定されている場合には、図１４の処理Ｓ２０４により読取・蓄積した画像データを、図１３の判断１０９において開始指示をしてきたＬＡＮ１００上のＰＣ１０１などに転送出力する（処理Ｓ３０３）。
【０２０５】
図１６に、図１３の処理Ｓ１０３または図１４の処理Ｓ２０４として適用される無線タグ情報読出処理と、図１３の処理Ｓ１１３または図１４の処理Ｓ２１５として適用される複製作業関連情報書込処理との具体的な処理手順、ならびに、それらの処理手順に対応する無線タグ３０における応答処理手順について示す。
【０２０６】
同図において、無線タグ３０は、図１３の処理Ｓ１０２により送信開始される対無線タグ電波信号を十分に受信して動作電源となるＶｄｄの供給が開始されると起動して、設定情報読出要求、または、書込要求があるかを監視している（判断Ｓ６０１のＮｏ、判断６０４のＮｏのループ）。
【０２０７】
一方、画像読取装置１における無線タグ情報読出処理では、情報読出要求のコマンドを送信する（処理Ｓ４０１）。それに対応して、起動している無線タグ３０においては、判断６０１がＹｅｓとなり、ＥＥＰＲＯＭ２４の記憶領域３４ａから無線タグ情報を読み出し（処理Ｓ６０２）、送信する（処理Ｓ６０３）。
【０２０８】
一方、画像読取装置１側では、処理Ｓ４０１での読出要求に対して無線タグ情報が受信できたか否かを判断し（判断Ｓ４０２）、受信できない場合には（判断Ｓ４０２のＮｏ）、情報受信フラグＦｒを０にリセットして（処理Ｓ４０５）、処理を終了する。
【０２０９】
判断４０２において、受信できた場合には（判断Ｓ４０２のＹｅｓ）、フラグＦｒを１にセットすると共に（処理Ｓ４０３）、判断Ｓ４０２で受信した無線タグ情報を、図１０の記憶領域４ｂに記憶して（処理Ｓ４０４）、処理を終了する。
【０２１０】
画像読取装置１側における無線タグ情報読出処理と無線タグ３０側の対応する処理とにより、読取対象物に付加された無線タグ３０に設定されている無線タグ情報を画像読取装置１が読み出すことができる。
【０２１１】
画像読取装置１における複製作業関連情報書込処理では、識別情報書込要求のコマンドを送信する（処理Ｓ５０１）。それに対応して、起動している無線タグ３０においては、判断６０４がＹｅｓとなり、書込許可応答を送信する（処理Ｓ６０５）。
【０２１２】
一方、画像読取装置１側では、処理Ｓ５０１での書込要求に対して許可応答が受信できたか否かを判断し（判断Ｓ５０２）、受信できない場合には（判断Ｓ５０２のＮｏ）、処理を終了するが、受信できた場合には（判断Ｓ５０２のＹｅｓ）、図９の記憶領域５ｄから自装置識別情報を読み出し（処理Ｓ５０３）、無線タグ３０に対して送信して（処理Ｓ５０４）、処理を終了する。
【０２１３】
一方、無線タグ３０側では、処理Ｓ６０５での許可応答の後、識別情報が受信できたか否かを判断し（判断Ｓ６０６）、受信できない場合には（判断Ｓ６０６のＮｏ）、判断Ｓ６０１に戻るが、受信できた場合には（判断Ｓ６０６のＹｅｓ）、その受信した識別情報を、図１２の無線タグ情報のうちの「書き込む情報」の１つである「複製作業実施装置識別情報」として書き込み（処理Ｓ６０７）、判断Ｓ６０１に戻る。
【０２１４】
画像読取装置１側における複製作業関連情報書込処理と無線タグ３０側の対応する処理とにより、画像読取装置１の自端末識別情報が、読取対象物に付加された無線タグ３０に、複製作業実施装置識別情報として記憶される。
【０２１５】
無線タグ３０に、複製作業実施装置識別情報として記憶された画像読取装置１の自端末識別情報は、無線タグ３０（が付加された読取対象物）が銀行などで他の無線タグ読取装置により読み取られた際に、必要に応じて参照され、その無線タグ３０が付加された読取対象物が預金通帳である場合に、その預金通帳の口座番号について現金の引き出しを一時停止したり、不正な複製を行なおうとした者の特定のための情報として利用したりするなど有効に使用することができる。
【０２１６】
また、無線タグ情報読出処理において、無線タグ３０のＩＤ情報（無線タグ３０を他の無線タグと区別するための情報）を取得して、複製作業関連情報書込処理において、その取得したＩＤ情報も併せて送信するようにして、無線タグ３０側で、自タグのＩＤ情報と受信したＩＤ情報とが一致した場合にのみ、複製作業実施装置識別情報の書き込みを行うようにして、誤書き込みを防止するようにしてもよい。
【０２１７】
図１７に、図１３の処理Ｓ１０５または図１４の処理Ｓ２１２として適用される複製可否判定処理の具体的な処理手順について示す。
【０２１８】
同図において、ます図９の記憶領域５ａのフラグＦｊの値に基づいて判定基準が何に設定されているかを判断する（判断Ｓ７０１）。
【０２１９】
判断Ｓ７０１において、「複製可否設定フラグ」と判定された場合には、無線タグ３０から受信して図１０の記憶領域４ｂに記憶されている無線タグ情報のうちの複製可否設定フラグＦｃ（図１２参照）の値に基づいて、複製可（Ｆｃ＝０）か否（複製禁止：Ｆｃ＝１）かを判断し（判断Ｓ７０２）、複製可に設定されている場合には（判断Ｓ７０２のＹｅｓ）、図１０の記憶領域４ｄのフラグＦｈを値０にリセットし（処理Ｓ７０４）、複製禁止に設定されている場合には（判断Ｓ７０２のＮｏ）、フラグＦｈを値１にセットする（処理Ｓ７０３）。
【０２２０】
これにより、読取対象物に付加された無線タグ３０における複製可否設定フラグＦｃの設定通りに、「複製可」または「複製禁止」と判定することができる。
【０２２１】
判断Ｓ７０１において、「通し番号」と判定された場合には、無線タグ３０から受信して図１０の記憶領域４ｂに記憶されている無線タグ情報のうちの通し番号の有無を判断し（判断Ｓ７０５）、通し番号がない場合には（判断Ｓ７０５のＮｏ）、図１０の記憶領域４ｄのフラグＦｈを値０にリセットし（処理Ｓ７０７）、通し番号がある場合には（判断Ｓ７０５のＹｅｓ）、フラグＦｈを値１にセットする（処理Ｓ７０６）。
【０２２２】
これにより、読取対象物に付加された無線タグ３０において通し番号がある、つまり、読取対象物が紙幣などである場合には、「複製禁止」と判定でき、通し番号がない場合には「複製可」と判定することができる。
【０２２３】
判断Ｓ７０１において、「複製禁止種別の設定」と判定された場合には、無線タグ３０から受信して図１０の記憶領域４ｂに記憶されている無線タグ情報のうちの無線タグ被付加物種別情報として設定されている種別を、図９の記憶領域５ｃの複製禁止読取対象物種別設定テーブルと照合して（処理Ｓ７０８）、「複製可」または「複製禁止」のいずれに該当するかを判断し（判断Ｓ７０９）、複製可に設定されている場合には（判断Ｓ７０９のＹｅｓ）、図１０の記憶領域４ｄのフラグＦｈを値０にリセットし（処理Ｓ７１１）、複製禁止に設定されている場合には（判断Ｓ７０９のＮｏ）、フラグＦｈを値１にセットする（処理Ｓ７１０）。
【０２２４】
これにより、読取対象物に付加された無線タグ３０において設定された当該読取対象物の種別が自装置において複製禁止と設定された種別である場合、その設定通りに、「複製禁止」と判定でき、それ以外の種別については「複製可」と判定することができる。
【０２２５】
判断Ｓ７０１において、「ランク値」と判定された場合には、図１８に移行して、無線タグ３０から受信して図１０の記憶領域４ｂに記憶されている無線タグ情報のうちのランク値ＶＬを、図９の記憶領域５ｂのランク値ＶＬと比較して（処理Ｓ７１２）、ランク値ＶＬ（自装置）がランク値ＶＬ（無線タグ）と同一値またはそれ以上か否かを判断し（判断Ｓ７０９）、ランク値ＶＬ（自装置）がランク値ＶＬ（無線タグ）と同一値またはそれ以上の場合には（判断Ｓ７１３のＹｅｓ）、図１０の記憶領域４ｄのフラグＦｈを値０にリセットし（処理Ｓ７１１）、ランク値ＶＬ（自装置）がランク値ＶＬ（無線タグ）と同一値またはそれ以上ではない場合には（判断Ｓ７１３のＮｏ）、フラグＦｈを値１にセットする（処理Ｓ７１０）。
【０２２６】
これにより、読取対象物に付加された無線タグ３０において設定された複製規制のランクと比較して、自装置に設定された複製規制のランクが、同一、または、高い（ランク値ＶＬの値が小さい）ければ、「複製可」と判定でき、それ以外の場合には「複製禁止」と判定することができる。
【０２２７】
図１９に、図１３の処理Ｓ１１４として適用される複製防止処理の具体的な処理手順について示す。
【０２２８】
同図において、先ず操作表示部９の表示器９ｉに警告メッセージ出力として、図２３に示す表示Ｄ０１を表示出力する（処理Ｓ８０１）。表示Ｄ０１では、セットした原稿（読取対象物）が複製禁止に設定されているため読み取れなかったことを示す文字列を表示すると共に、表示内容を確認して［Ｙｅｓ］キー９ｂを押下するよう促す。警告メッセージの出力は、音声メッセージによる出力であってもよく、また、操作表示部９に対応するＬＥＤを配置して、そのＬＥＤの点灯により、警告メッセージの出力を行うようにしてもよく、ユーザが認識可能な形態であれば、その他の形態の出力であってもよい。この警告メッセージの出力により、ユーザに対し「複製禁止」の読取対象物を読み取ろうとしたことを認識させることができる。後述する各種警告メッセージの出力についても同様のことがいえる。
【０２２９】
処理Ｓ８０１のメッセージ出力の後は［Ｙｅｓ］キー９ｂが押下されるのを待ち（判断Ｓ８０２のＮｏのループ）、押下されると（判断Ｓ８０２のＹｅｓ）、図１３の判断Ｓ１０１に戻る。
【０２３０】
このように、複製禁止と判定された場合には、画像読取りを開始しないで、判断Ｓ１０１の原稿セット待ち状態に戻ることで、複製を防止することができる。
【０２３１】
図２０に、図１４の処理Ｓ２１６として適用される複製防止処理の具体的な処理手順について示す。
【０２３２】
同図において、先ず、読取り動作を中断する（処理Ｓ９０１）。それにより、それ以上複製禁止に係る画像が読み取られることがなくなる。更に、ＲＡＭ４に蓄積されている読み取り済みの画像データを上書き消去する（処理Ｓ９０２）。
【０２３３】
通常は、ＲＡＭ４に記憶された画像データの消去は、そのメモリ領域を新たな画像データの蓄積のために使用できるようにメモリ管理するのみで、画像データの内容自体の明示的な消去、つまり、画像データを構成する全ての画素の値を値０に上書きするなどのことは、不要な処理負担となるため、通常は行われないが、処理Ｓ９０１で中断するまで読み取られていた画像データは、本来複製禁止にすべき画像データであるため、処理Ｓ９０２により上書き消去するようにしている。それにより、ＲＡＭ４の記憶領域上に複製禁止に係る画像データが残ることがなく、ＲＡＭ４に残った紙幣などの複製すべきでない読取対象物を読み取って得た画像データが不正な手段で読み出されて悪用されることがない。
【０２３４】
また、装置によっては、ＲＡＭ４の一部記憶領域を、取り外し可能なオプションのメモリカードとして提供する場合もあり、そのメモリカードの記憶領域に複製禁止に係る画像データが記憶された場合、画像データの不正な読み出しが比較的容易であるため、処理Ｓ９０２による上書き消去の効果はいっそう大きい。また、画像データの記憶領域がＲＡＭ４ではなく、ハードディスク装置のような場合でも、上書き消去の効果は同様に得られる。
【０２３５】
処理Ｓ９０２の後は、操作表示部９の表示器９ｉに警告メッセージ出力として、図２３に示す表示Ｄ０２を表示する（処理Ｓ９０３）。表示Ｄ０２では、セットした原稿（読取対象物）が複製禁止に設定されているため読み取りを中断したことを示す文字列を表示すると共に、表示内容を確認して［Ｙｅｓ］キー９ｂを押下するよう促す。
【０２３６】
処理Ｓ９０３のメッセージ出力の後は［Ｙｅｓ］キー９ｂが押下されるのを待ち（判断Ｓ９０４のＮｏのループ）、押下されると（判断Ｓ９０４のＹｅｓ）、図１３の判断Ｓ１０１に戻る。
【０２３７】
このように、画像読取中に複製禁止と判定された場合には、画像の読み取りを中断して、判断Ｓ１０１の原稿セット待ち状態に戻ることで、複製を防止することができる。
【０２３８】
図２１に、図１４の処理Ｓ２１６として適用される複製防止処理の具体的な処理手順の別例について示す。
【０２３９】
同図において、図１４の処理Ｓ２０２における読取・蓄積処理を引き継いで読取・蓄積処理を読取完了するまで行う（処理Ｓ１００１、判断Ｓ１００２のＮｏのループ）。
【０２４０】
読取が完了すると（判断Ｓ１００２のＹｅｓ）、更に、ＲＡＭ４に蓄積されている読み取り済みの画像データを上書き消去する（処理Ｓ１００３）。それにより、ＲＡＭ４の記憶領域上に複製禁止に係る画像データが残ることがなく、ＲＡＭ４に残った紙幣などの複製すべきでない読取対象物を読み取って得た画像データが不正な手段で読み出されて悪用されることがない。
【０２４１】
処理Ｓ１００３の後は、操作表示部９の表示器９ｉに警告メッセージ出力として、図２３に示す表示Ｄ０３を表示する（処理Ｓ１００４）。表示Ｄ０３では、セットした原稿（読取対象物）が複製禁止に設定されているため、複写、ファクシミリ送信、スキャナとしてのＰＣへの画像転送などの出力が行えないことを示す文字列を表示すると共に、表示内容を確認して［Ｙｅｓ］キー９ｂを押下するよう促す。
【０２４２】
処理Ｓ１００４のメッセージ出力の後は［Ｙｅｓ］キー９ｂが押下されるのを待ち（判断Ｓ１００５のＮｏのループ）、押下されると（判断Ｓ１００５のＹｅｓ）、図１３の判断Ｓ１０１に戻る。
【０２４３】
このように、画像読取中に複製禁止と判定された場合には、とりあえず画像の読み取りは行うが、出力することなく判断Ｓ１０１の原稿セット待ち状態に戻ることで、複製を防止することができる。
【０２４４】
図２２に、図１４の処理Ｓ２１６として適用される複製防止処理の具体的な処理手順の別例について示す。
【０２４５】
同図において、図１４の処理Ｓ２０２における読取・蓄積処理を引き継いで読取・蓄積処理を読取完了するまで行う（処理Ｓ１１０１、判断Ｓ１１０２のＮｏのループ）。
【０２４６】
読取が完了すると（判断Ｓ１１０２のＹｅｓ）、操作表示部９の表示器９ｉに警告メッセージ出力として、図２３に示す表示Ｄ０４を表示する（処理Ｓ１１０３）。表示Ｄ０４では、セットした原稿（読取対象物）が複製禁止に設定されているため、画質劣化処理が行われたことを示す文字列を表示すると共に、表示内容を確認して［Ｙｅｓ］キー９ｂを押下するよう促す。なお、画質劣化処理は実際は後の処理Ｓ１１０５により行われる。ここで、［Ｎｏ］キー９ｃを押下すると、画質劣化処理されてしまった使いようのない画像の出力を中止するように構成してもよい。その場合、出力モードが「複写」であれば、記録紙などの記録媒体の無駄をなくすことができ、「ファクシミリ」であれば、相手先において無駄な画像の出力や表示を省くことができ、「スキャナ」であれば、転送先のＰＣへの無駄な転送や転送先のＰＣおける無駄な表示を省くことができる。その場合未出力の複製禁止に係る画像データは、上書き消去して、不正な読み出しを防止する。
【０２４７】
処理Ｓ１１０３のメッセージ出力の後は［Ｙｅｓ］キー９ｂが押下されるのを待ち（判断Ｓ１１０４のＮｏのループ）、押下されると（判断Ｓ１１０４のＹｅｓ）、処理Ｓ１１０１で読み取った画像データに画像処理部８により画質劣化処理を施した上で（処理Ｓ１１０５）、画像出力処理を行い（処理Ｓ１１０６）、その後、図１３の判断Ｓ１０１に戻る。処理Ｓ１１０６の画像出力処理の具体的な処理手順は、図１５に示した処理手順である。処理Ｓ１１０６において、元の画像データが残るような場合には、その元の画像データに対して上書き消去の処理を行い、不正な読み出しを防止する。
【０２４８】
図２４（ａ）に、処理Ｓ１１０１により読み取られた、複製禁止に係る画像データ例（紙幣）を、同図（ｂ）に、同図（ａ）の画像データが処理Ｓ１１０５により画質劣化処理された後の画像データ例を示す。
【０２４９】
同図（ｂ）に示す画像データには、多数の縦線が上書きされた状態で、記録紙に印刷しても悪用できない程度で画質が劣化しているが、記録された画像の内容はある程度把握できるようにしている。画質劣化処理としては、記録紙に印刷しても悪用できない程度に処理されていれば、横線、斜線、網掛け、階調を落とす、ノイズを重畳させる、色味を変えるなどのその他の形態であってもよい。
【０２５０】
また、同図（ｂ）に示す画質劣化処理後の画像データには、読み取り時の都合により画質結果処理した旨を示す文字列が上書きされていて、その画像データが最終的に記録紙に印刷されたり、ディスプレイに表示されたときに、画質が劣化してしまった事情をユーザに把握させることができる。はっきりと、複製禁止の原稿（読取対象物）を読み取ろうとしたから画質劣化処理した旨の文字列を上書きするようにしてもよい。
【０２５１】
このように、画像読取中に複製禁止と判定された場合には、画像の読み取りは行うが、画質劣化処理してから出力するようにすることで、複製（したものの悪用）を防止することができる。
【０２５２】
図２５に、図１４の処理Ｓ２１１として適用される複製防止処理の具体的な処理手順について示す。
【０２５３】
同図において、まず、図１４の処理Ｓ２０２によりＲＡＭ４に蓄積されている読み取り済みの画像データを上書き消去する（処理Ｓ１２０１）。それにより、ＲＡＭ４の記憶領域上に複製禁止に係る画像データが残ることがなく、ＲＡＭ４に残った紙幣などの複製すべきでない読取対象物を読み取って得た画像データが不正な手段で読み出されて悪用されることがない。
【０２５４】
処理Ｓ１２０１の後は、操作表示部９の表示器９ｉに警告メッセージ出力として、図２７に示す表示Ｄ０３ａを表示する（処理Ｓ１２０２）。表示Ｄ０３ａでは、セットした原稿（読取対象物）が複製禁止の内容を含んでいるため、複写、ファクシミリ送信、スキャナとしてのＰＣへの画像転送などの出力が行えないことを示す文字列を表示すると共に、表示内容を確認して［Ｙｅｓ］キー９ｂを押下するよう促す。
【０２５５】
処理Ｓ１２０２のメッセージ出力の後は［Ｙｅｓ］キー９ｂが押下されるのを待ち（判断Ｓ１２０３のＮｏのループ）、押下されると（判断Ｓ１２０３のＹｅｓ）、図１３の判断Ｓ１０１に戻る。
【０２５６】
このように、無線タグ３０から読み出した無線タグ情報に基づいた複製可否判定で「複製可」と判定された原稿（読取対象物）であっても、画像認識により、「複製禁止」と判定された場合には、画像データを出力することなく判断Ｓ１０１の原稿セット待ち状態に戻ることで、複製を、いっそう確実に防止することができる。
【０２５７】
図２６に、図１４の処理Ｓ２１１として適用される複製防止処理の具体的な処理手順の別例について示す。
【０２５８】
同図において、先ず、操作表示部９の表示器９ｉに警告メッセージ出力として、図２７に示す表示Ｄ０４ａを表示する（処理Ｓ１３０１）。表示Ｄ０４ａでは、セットした原稿（読取対象物）が複製禁止の内容を含んでいるため、画質劣化処理が行われたことを示す文字列を表示すると共に、表示内容を確認して［Ｙｅｓ］キー９ｂを押下するよう促す。なお、画質劣化処理は実際は後の処理Ｓ１３０３により行われる。ここで、［Ｎｏ］キー９ｃを押下すると、画質劣化処理されてしまった使いようのない画像の出力を中止するように構成してもよい。その場合、出力モードが「複写」であれば、記録紙などの記録媒体の無駄をなくすことができ、「ファクシミリ」であれば、相手先において無駄な画像の出力や表示を省くことができ、「スキャナ」であれば、転送先のＰＣへの無駄な転送や転送先のＰＣおける無駄な表示を省くことができる。その場合未出力の複製禁止に係る画像データは、上書き消去して、不正な読み出しを防止する。
【０２５９】
処理Ｓ１３０１のメッセージ出力の後は［Ｙｅｓ］キー９ｂが押下されるのを待ち（判断Ｓ１３０２のＮｏのループ）、押下されると（判断Ｓ１３０２のＹｅｓ）、図１４の処理Ｓ２０２で読み取った画像データに画像処理部８により画質劣化処理を施した上で（処理Ｓ１３０３）、画像出力処理を行い（処理Ｓ１３０４）、その後、図１３の判断Ｓ１０１に戻る。処理Ｓ１３０４の画像出力処理の具体的な処理手順は、図１５に示した処理手順である。処理Ｓ１３０３において、元の画像データが残るような場合には、その元の画像データに対して上書き消去の処理を行い、不正な読み出しを防止する。
【０２６０】
処理Ｓ１３０３における画質劣化処理は、既に説明した図２２の処理Ｓ１１０５における処理と同一である。
【０２６１】
このように、無線タグ３０から読み出した無線タグ情報に基づいた複製可否判定で「複製可」と判定された原稿（読取対象物）であっても、画像認識により、「複製禁止」と判定された場合には、画質劣化処理してから出力するようにすることで、複製（したものの悪用）をいっそう確実に防止することができる。
【０２６２】
図２８に、図１９の複製防止処理の変形例について示す。
【０２６３】
同図に示す処理手順は、図１９の処理手順の前に、判断１４０１及び処理Ｓ１４０２を追加したものである。
【０２６４】
つまり、図１０の記憶領域４ｅのフラグＦoutの値に基づいて、出力モードが「スキャナ」の場合（判断Ｓ１４０１のＹｅｓ）、警告メッセージを、図１３の判断Ｓ１０９における開始指示命令のＬＡＮ１００上の送信元のＰＣにＬＡＮ１００を介して転送して（処理Ｓ１４０２）、処理Ｓ８０１に移行する。判断１４０１において、「スキャナ」以外の場合には（判断Ｓ１４０１のＮｏ）、処理Ｓ８０１に移行する。処理Ｓ８０１及び判断Ｓ８０２は、図１９と同一処理であるため、説明を省略する。
【０２６５】
図２９の表示Ｄ０１ａに、処理Ｓ１４０２によりＰＣに転送された警告メッセージがＰＣにおいてディスプレイ表示される例を示す。表示Ｄ０１ａには、スキャナ（画像読取装置１）にセットした原稿（読取対象物）が複製禁止に設定されているため読み取れなかったことを示す文字列が表示されている。
【０２６６】
これにより、画像読取装置１から離れた場所のＰＣを操作するユーザに対して、読み取ろうした原稿（読取対象物）がスキャナ（画像読取装置１）において読み取られなかったこと、及び、その原因を容易に把握させることが可能となる。なお、処理Ｓ１４０２において、メッセージ転送に代えて、複製禁止と判定されたために読みとれない旨を示す情報をＰＣに転送して、その情報を受信したＰＣが表示Ｄ０１ａの表示内容の文字列を生成して表示するようにしても、実質的に同様の効果を得ることができる。
【０２６７】
同様の変形は、図１９に示した複製防止処理に限らず、図２０、図２１、図２２、図２５、図２６の各複製防止処理に対しても適用でき、同様の作用効果を得ることができるのは明らかである。
【０２６８】
なお、以上説明した本発明を実施するための最良の形態においては、複製可否判定のたろに必要な情報を無線タグ３０自身が記憶していて、画像処理装置１がその情報を読み出すことで取得する構成に本発明を適用したが、無線タグ３０からは、無線タグ３０を一意に識別するための情報（固有ＩＤ）のみを読み出して、その固有ＩＤに対応する、当該無線タグ３０が付加されたものに関する情報（複製可否判定のための各種情報を含む）は、その固有ＩＤに基づいて別途読み出し／書き込む場合に本発明を適用することも可能である。
【０２６９】
その場合の固有ＩＤに基づいた別途の読み出し／書き込みは、具体的には、画像読取装置１をＬＡＮインターフェースなどを介してインターネットなどのネットワークに接続し、そのネットワーク上の、無線タグ情報を管理しているサーバに、固有ＩＤを問い合わせて対応する各種情報を取得したり、固有ＩＤと共に「複製作業実施装置識別情報」などを書き込み依頼することにより行われる。
【０２７０】
なお、本願特許請求の範囲に記載の各手段のうちＣＰＵ２による制御手順により実現されるものについては、それぞれ専用のハードウェアで構成されてもよいものである。
【図面の簡単な説明】
【０２７１】
【図１】本発明の実施の形態に係る画像読取装置１を中心としたシステムについて示す図である。
【図２】本発明を実施するための最良の形態に係る画像読取装置１のブロック構成について示す図である。
【図３】画像読取装置１の操作表示部３の配置構成について示す図である。
【図４】画像読取装置１の対無線タグ送受信部のブロック構成について示す図である。
【図５】無線タグが付加された読取対象物（無線タグ被付加物）について示す図である。
【図６】無線タグのブロック構成について示す図である。
【図７】無線タグの送受信部のブロック構成について示す図である。
【図８】画像読取装置１の画像読取部の構成について示す模式図である。
【図９】画像読取装置１のＥＥＰＲＯＭ５の本発明に特徴的な記憶内容について示す図である。
【図１０】画像読取装置１のＲＡＭ４の本発明に特徴的な記憶内容について示す図である。
【図１１】画像読取装置１のＲＯＭ３の本発明に特徴的な記憶内容について示す図である。
【図１２】無線タグ３０のＥＥＰＲＯＭ３４の記憶内容について示す図である。
【図１３】画像読取装置１における画像読取制御処理手順について示すフローチャートである。
【図１４】図１３と共に、画像読取装置１における画像読取制御処理手順について示すフローチャートである。
【図１５】画像出力処理の具体的な処理手順について示すフローチャートである。
【図１６】画像読取装置１における無線タグ情報読出処理及び複製作業関連情報書込処理の具体的な処理手順、ならびに、無線タグ３０における応答処理手順について示すフローチャートである。
【図１７】複製可否判定処理の具体的な処理手順について示すフローチャートである。
【図１８】図１７と共に、複製可否判定処理の具体的な処理手順について示すフローチャートである。
【図１９】複製防止処理の具体的な処理手順について示すフローチャートである。
【図２０】複製防止処理の具体的な処理手順について示すフローチャートである。
【図２１】複製防止処理の具体的な処理手順について示すフローチャートである。
【図２２】複製防止処理の具体的な処理手順について示すフローチャートである。
【図２３】図１９ないし図２２の処理手順における表示例について示す図である。
【図２４】画質劣化処理前後の画像データについて示す図である。
【図２５】複製防止処理の具体的な処理手順について示すフローチャートである。
【図２６】複製防止処理の具体的な処理手順について示すフローチャートである。
【図２７】図２５または図２６の処理手順における表示例について示す図である。
【図２８】図１９の複製防止処理の変形例について示すフローチャートである。
【図２９】図２８の処理手順に対応したＰＣにおける表示例について示す図である。
【符号の説明】
【０２７２】
１  画像読取装置
３０  無線タグ
【図１】
2005094275.tif 000003
【図２】
2005094275.tif 000004
【図３】
2005094275.tif 000005
【図４】
2005094275.tif 000006
【図５】
2005094275.tif 000007
【図６】
2005094275.tif 000008
【図７】
2005094275.tif 000009
【図８】
2005094275.tif 000010
【図９】
2005094275.tif 000011
【図１０】
2005094275.tif 000012
【図１１】
2005094275.tif 000013
【図１２】
2005094275.tif 000014
【図１３】
2005094275.tif 000015
【図１４】
2005094275.tif 000016
【図１５】
2005094275.tif 000017
【図１６】
2005094275.tif 000018
【図１７】
2005094275.tif 000019
【図１８】
2005094275.tif 000020
【図１９】
2005094275.tif 000021
【図２０】
2005094275.tif 000022
【図２１】
2005094275.tif 000023
【図２２】
2005094275.tif 000024
【図２３】
2005094275.tif 000025
【図２４】
2005094275.tif 000026
【図２５】
2005094275.tif 000027
【図２６】
2005094275.tif 000028
【図２７】
2005094275.tif 000029
【図２８】
2005094275.tif 000030
【図２９】
2005094275.tif 000031